(57)【要約】【課題】  特に防塵及び損傷防止効果を有し、美観に優れた表示装置の装飾・保護用カバーを提供する。【解決手段】  本考案の表示装置の装飾・保護用カバーは、表示装置４０の外枠に結合され、前面が特殊なパターン或いは浮き彫り細工が施され、中央に開口１２が形成され、該前面の反対面の四辺に後方へ延出する接合辺１４が設けられ、該接合辺１４により表示装置４０の外枠に結合されるフレーム１０と、フレーム１０の内部一側に固定されるロッド体２２及び該ロッド体２２の一端に設置される、ロッド体２２を転動させるための駆動部材２４を有する巻取機構２０と、ロッド体２２上に収納・展開可能に巻き付けられ、展開した場合は表示装置４０のモニタ４２画面をカバーできると共に、開口１２側の面に図柄を有するシート部材３０とを具備する。【選択図】  図１
0003106224.tif 000002
【実用新案登録請求の範囲】
【請求項１】
表示装置４０の外枠に結合され、前面が特殊なパターン或いは浮き彫り細工が施され、中央に開口１２が形成され、該前面の反対面の四辺に後方へ延出する接合辺１４が設けられ、該接合辺１４により表示装置４０の外枠に結合されるフレーム１０と、
前記フレーム１０の内部一側に固定されるロッド体２２及び該ロッド体２２の一端に設置されるロッド体２２を回動させるための駆動部材２４を有する巻取機構２０と、
前記ロッド体２２上に収納・展開可能に巻き付けられ、展開した場合は表示装置４０のモニタ４２画面をカバーできるようにすると共に、開口１２側の面に図柄を有するシート部材３０とを具備することを特徴とする表示装置の装飾・保護用カバー。
【請求項２】
前記フレーム１０の上端における接合辺１４の内壁面の両端近傍にそれぞれ下方に延出し、互いに平行状態を成す位置決めプレート１６が設けられ、それら各位置決めプレート１６上に、対向し合う軸孔が形成されると共に、該軸孔に前記巻取機構２０のロッド体２２の両端が回動可能に枢設されることを特徴とする請求項1に記載の表示装置の装飾・保護用カバー。
【請求項３】
前記シート部材３０は、ロッド体２２に固定される固定端及び展開可能な自由端を有し、該自由端に錘付きロッド３２が設けられ、
前記フレーム１０における、巻取機構２０と異なる側に、シート部材３０を引き出してモニタ４２画面をカバーするための牽引機構３５が設けられ、
前記牽引機構３５は、ロッド体２２と、該ロッド体２２の一端に設置され、ロッド体２２を回動させるための駆動部材２４と、ロッド体２２とシート部材３０との間に介設される牽引線３５２とを含むことを特徴とする請求項１又は２に記載の表示装置の装飾・保護用カバー。
【考案の詳細な説明】
【技術分野】
【０００１】
本考案は、特に防塵及び損傷防止効果を有する美観に優れた表示装置に対する装飾性を備えた保護用カバーに関するものである。
【背景技術】
【０００２】
近年、表示装置はＣＲＴに代わる、場所を取らない薄型のプラズマテレビや液晶ディスプレイが開発されたため、部屋の空間をより有効的に使うことができるように成り、且つ室内の美観の向上にも役立っている。
【考案の開示】
【考案が解決しようとする課題】
【０００３】
しかし、現代の生活において、表示装置は様々な電化製品、例えば、コンピュータやテレビなどに利用されているが、それら表示装置の正面の外観は主に単調なデザインである外枠と、中央のモニタとから成るので、不使用時には、その全体の外観がより単調である。  
【０００４】
また、表示装置は年々大型化し、例えば、４０インチ以上のプラズマテレビ或いは液晶ディスプレイが生産されるようになるにつれて、表示装置の生活空間における占有率が高まってきているが、このような単調な外観の表示装置を設置してしまうと、室内の美観に悪影響を与えてしまうことになる。
【０００５】
また、プラズマテレビ或いは液晶ディスプレイなどの平面ディスプレイは通常、部屋などの壁の比較的高い位置に設置されることから、塵埃などの汚れを取除く時、非常に不便であると共に、液晶ディスプレイの表面が柔らかく、壊れ易いという欠点があることから、このような大型のプラズマテレビ或いは液晶ディスプレイなどには防塵及び損傷を防止するなどの措置を施すことが求められていた。
【課題を解決するための手段】
【０００６】
本考案における請求項１に係る表示装置の装飾・保護用カバーは、表示装置４０の外枠に結合され、前面が特殊なパターン或いは浮き彫り細工が施され、中央に開口１２が形成され、該前面の反対面の四辺に後方へ延出する接合辺１４が設けられ、該接合辺１４により表示装置４０の外枠に結合されるフレーム１０と、前記フレーム１０の内部一側に固定されるロッド体２２及び該ロッド体２２の一端に設置されるロッド体２２を回動させるための駆動部材２４を有する巻取機構２０と、前記ロッド体２２上に収納・展開可能に巻き付けられ、展開した場合は表示装置４０のモニタ４２画面をカバーすると共に、開口１２側の面に図柄を有するシート部材３０を具備することを特徴とする。
【０００７】
請求項２の考案は、請求項1に記載の表示装置の装飾・保護用カバーにおいて、前記フレーム１０の上端における接合辺１４の内壁面の両端近傍にそれぞれ下方に延出し、互いに平行状態を成す位置決めプレート１６が設けられ、それら各位置決めプレート１６上に、対向し合う軸孔が形成されると共に、該軸孔に前記巻取機構２０のロッド体２２の両端が回動可能に枢設されることを特徴とする。
【０００８】
請求項３の考案は、請求項１又は２に記載の表示装置の装飾・保護用カバーにおいて、
前記シート部材３０は、ロッド体２２に固定される固定端及び展開可能な自由端を有し、該自由端に錘付きロッド３２が設けられ、前記フレーム１０における、巻取機構２０と異なる側に、シート部材３０を引き出してモニタ４２画面をカバーするための牽引機構３５が設けられ、前記牽引機構３５は、ロッド体２２と、該ロッド体２２の一端に設置され、ロッド体２２を回動させるための駆動部材２４と、ロッド体２２とシート部材３０との間に介設される牽引線３５２とを含むことを特徴とする。
【考案の効果】
【０００９】
本考案は上記に示すように、表示装置の外枠に結合され、前面に特殊なパターン或いは浮き彫り細工が施され、中央に開口が形成され、該前面の反対面の四辺に後方へ延出する接合辺が設けられ、該接合辺により表示装置の外枠に結合されるフレームと、前記フレームの内部一側に固定されるロッド体及び該ロッド体の一端に設置される、ロッド体を回動させるための駆動部材を有する巻取機構と、前記ロッド体上に収納・展開可能に巻き付けられ、展開した場合は表示装置のモニタ画面をカバーできるようにすると共に、開口側の面に図柄を有するシート部材と、から成り、また、前記フレームの上端における接合辺の内壁面の両端近傍にそれぞれ下方に延出し、互いに平行状態を成す位置決めプレートが設けられ、それら各位置決めプレート上に、対向し合う軸孔が形成されると共に、該軸孔に前記巻取機構のロッド体の両端が回動自在の枢設され、更に、該巻取機構のロッド体の両側はそれぞれフレームの両側における二つの位置決めプレートに形成される軸孔に枢設されることが好ましく、また、前記駆動部材は、電動駆動装置、手動駆動装置或いはリモコンによりロッド体の転動動作を制御する、遠隔制御式電動駆動装置であることが好ましく、また、前記シート部材は、ロッド体に固定される固定端及び展開可能な自由端を有し、該自由端に錘付きロッドが設けられることが好ましく、また、前記フレームにおける、巻取機構と異なる側に、シート部材を引き出してモニタをカバーするための牽引機構が設けられることが好ましく、また、前記接合辺は、表示装置の外枠上に嵌め込まれる或いは一体に成形されることが好ましい。
【００１０】
上記の構成を有することから、本考案の表示装置の装飾・保護用カバーは、場合に応じて巻取機構の取付け位置を選択できる。また、シート部材は、モニタの開閉を行うことができ、該シート部材が展開状態の時は、表示装置に対して防塵及び損傷を防止する効果を有し、更に、異なる造型のフレームを組合わせて表示装置の外観に変化を持たせれば、より芸術的美観を向上させることができる。
【考案を実施するための最良の形態】
【００１１】
以下、添付図面を参照して本考案の好適な実施の形態を詳細に説明する。
【実施例１】
【００１２】
図１は、本考案に係る表示装置の装飾・保護用カバーの第１実施例の分解斜視図であり、図２は、本考案に係る表示装置の装飾・保護用カバーの第１実施例の側面断面図であり、図３は、本考案に係る表示装置の装飾・保護用カバーの第１実施例の組立て後の斜視図である。
【００１３】
図１及び図２は、本考案の表示装置の装飾・保護用カバーの第１実施例を示すもので、四方形状のフレーム１０と該フレーム１０内部に装着される巻取機構２０及びシート部材３０から構成されるものである。
【００１４】
前記フレーム１０は、例えば、前面に絵画の額縁のような特殊なパターン或いは浮き彫り細工などの装飾部が施されたもので、中央に開口１２が形成されている。また、前面の反対面の四周辺には後方側へ延出した接合辺１４が形成され、該接合辺１４はモニタ４２などの表示装置４０の外枠に嵌合されるようになっていると共に、該フレーム１０の中央の開口１２が、表示装置４０のモニタ４２画面と対応している。
【００１５】
更に、前記フレーム１０の上端の接合辺１４の内壁面の両端近傍には、それぞれ下方に延出して、互いに平行状態を成す一対の位置決めプレート１６が設けられ、それら各位置決めプレート１６間に、互いに対向する軸孔が形成されている。該軸孔には前記巻取機構２０のロッド体２２の両端部が回動自在に貫通した状態で枢設されるようになっている。
【００１６】
尚、前記構成においては、フレーム１０の両側辺にそれぞれシート部材３０の開閉をスムーズに行うためのガイドレール１８が設けられることがより好ましい。
【００１７】
前記巻取機構２０は、ロッド体２２及び該ロッド体２２を回動する電動による駆動装置２４からなっているが、前記電動による駆動装置２４に代えて、前記ロッド体２２を手動操作による回動を行う駆動装置であってもよい。
【００１８】
前記駆動部材２４は前記ロッド体２２のいずれか一方の端部に連結されて、後述のシート部材を巻き上げ或いは巻き戻す操作を行うようになっている。
【００１９】
尚、前記構成において前記駆動装置２４は、リモコンによりロッド体２２の回動動作を制御するようにした遠隔制御式の電動駆動装置であることがより好ましい。
【００２０】
前記シート部材３０は、ロッド体２２上に巻き付けられると共に、該ロッド体２２上に固定される固定端と、開口１２側に展開される自由端を有するものである。そして、前記ロッド体２２は、駆動装置２４の制御を受けると、正逆方向に回動することができようになっており、前記シート部材３０をロッド体２２上に巻き上げたり、又はロッド体２２上から展開してモニタ４２画面をカバーすることができるようになっている。
【００２１】
更に、シート部材３０の自由端にはガイドレール１８内で移動する錘付きロッド３２が設けられ、これにより、展開時におけるシート部材３０の伸張性を保持して平坦面とすることができ、シート部材３０の表面上に図柄を施しても、その意匠性・美観性を損なうことはない。
【００２２】
図３に示すように、本考案の第１実施例の装飾・保護用カバーを使用する場合は、額縁状に形成したフレーム１０を表示装置４０の外側より嵌め込み、表示装置４０のモニタ４２画面の外側に固定する。そして、表示装置４０を使用する時は、シート部材３０を巻取機構２０の制御によりロッド体２２上に巻き上げて収容し、モニタ４２画面を外部より見えるように露出させる。一方、表示装置４０を使用しない時は、シート部材３０を巻き戻し展開してモニタ４２画面をカバーし、モニタ４２画面に付着する塵埃及び損傷を防止するようになっている。
【００２３】
また、図中に示すように、図柄を施したシート部材３０をフレーム１０に組合せることにより、単調であった表示装置４０の外観を美観性に優れたものに変身させることができる。
【実施例２】
【００２４】
図４は、本考案に係る表示装置の装飾・保護用カバーの第２実施例を示す分解斜視図である。
【００２５】
図４に示すように、本考案の第２実施例では、フレーム１０の側辺の内面部に巻取機構２０が設置された構成である。したがって、シート部材３０の自由端は、上下方向に開閉するタイプではなく、フレーム１０内における、巻取機構２０と対応する位置の反対側にはシート部材３０を巻き取るための牽引機構３５が設けられている。更に、該牽引機構３５は、巻取機構２０と同様のロッド体（符号なし）及び駆動部材（符号なし）を有し、錘付きロッド３２の上下端にそれぞれ２本の牽引線３５２が結着されることにより、シート部材３０の平坦性を保持しながらシート部材３０を左右方向に引出すようにしたものである。
【００２６】
尚、前記構成においては、前記巻取機構２０と牽引機構３５との間をやや遊びを有する状態で組み合わせる。即ち、牽引機構３５が回動した時、巻取機構２０に負担がかからない状態とし、シート部材３０の巻き戻し展開或いは巻き込み収容動作をスムーズにするようにしている。また、前記巻取機構２０と牽引機構３５とを同期回動させて、シート部材３０の展開或いは収容動作を行う方式が取られる。
【実施例３】
【００２７】
図５は、本考案に係る表示装置の装飾・保護用カバーの第３実施例を示す一部切欠き側断面図である。図６は、本考案に係る表示装置の装飾・保護用カバーの第３実施例を示すもので、組立て後の斜視図であり、図７は、本考案に係る表示装置の装飾・保護用カバーの第３実施例においてシート部材を巻回収容した状態を示す斜視図である。
【００２８】
図５乃至図７に示すように、本考案の第３実施例においては、その主な構造及び効果の殆どは、第１実施例と同様であるが、異なる点としては、単にフレーム１０’の後方における接合辺１４’が表示装置４０の外枠と一体成形となっていることのみであり、前記フレーム１０’の上端の接合辺１４’の内壁面の両端近傍には、それぞれ下方に延出して、互いに平行状態を成す一対の位置決めプレート１６が設けられ、それら各位置決めプレート１６間に、互いに対向する軸孔が形成されている。該軸孔には前記巻取機構２０のロッド体２２の両端部が回動自在に貫設され、かつ前記巻取機構２０は、ロッド体２２及び該ロッド体２２を回動する電動による駆動装置２４によって駆動され、シート部材の巻上げ及び巻き戻すようになっている構成は第１実施例と同様であり詳細は省略する。
【００２９】
更に、図８に示すように、本考案をリビングルームなどの室内における大型プラズマテレビに用いる時は、防塵及び防傷の効果だけでなく、フレームをパターン或いは浮き彫り細工が施されたものに交換すれば、プラズマテレビ全体の美観性をより高めることができる。
【００３０】
上述したように、本考案の表示装置の装飾・保護用カバーは、モニタの画面の防塵及び損傷防止の効果を有するだけでなく、フレームをパターン或いは浮き彫り細工が施されたものに交換することにより、表示装置全体の美観性をより高めることができる。更に、本考案のような技術は、未だ市場に出回っていないので、本考案の表示装置の装飾・保護用カバーは、明らかに新規性及び進歩性を有するものであると考える。
【図面の簡単な説明】
【００３１】
【図１】本考案に係る表示装置の装飾・保護用カバーの第１実施例を示す分解斜視図である。
【図２】本考案に係る表示装置の装飾・保護用カバーの第１実施例を示す側面断面図である。
【図３】本考案に係る表示装置の装飾・保護用カバーの第１実施例の組立て後の斜視図である。
【図４】本考案に係る表示装置の装飾・保護用カバーの第２実施例を示す分解斜視図である。
【図５】本考案に係る表示装置の装飾・保護用カバーの第３実施例を示す一部切欠き側断面図である。
【図６】本考案に係る表示装置の装飾・保護用カバーの第３実施例の組立て後の斜視図である。
【図７】本考案に係る表示装置の装飾・保護用カバーの第３実施例においてシート部材を巻回収容した状態を示す斜視図である。
【図８】本考案に係る表示装置の装飾・保護用カバーを、室内のプラズマテレビに取付けた状態を示す使用状態図である。
【符号の説明】
【００３２】
１０        フレーム
１０’      フレーム
１０”      彫刻額縁
１２        開口
１４        接合辺
１４’      接合辺
１６        位置決めプレート
１８        ガイドレール
２０        巻取機構
２２        ロッド体
２４        駆動部材
３０        シート部材
３２        錘付きロッド
３５        牽引機構
３５２      牽引線
４０        表示装置
４２        モニタ
【図１】
0003106224.tif 000003
【図２】
0003106224.tif 000004
【図３】
0003106224.tif 000005
【図４】
0003106224.tif 000006
【図５】
0003106224.tif 000007
【図６】
0003106224.tif 000008
【図７】
0003106224.tif 000009
【図８】
0003106224.tif 000010